(57)【要約】  利用者が複数日分の売上金等の有価媒体を後日各売上日に売上げられた有価媒体毎にまとめて処理させる場合に、その作業の煩雑さを低減する。有価媒体を処理する有価媒体処理手段と、有価媒体の処理に関する情報を記憶する記憶手段と、有価媒体の処理に関する情報を表示する表示手段と、有価媒体の処理に関する情報を入力する入力手段と、有価媒体処理手段による有価媒体の未処理日に関する情報を表示手段に表示させる表示制御手段と、表示手段にされた特定の未処理日が入力手段により入力された場合に、有価媒体処理手段に未処理日の処理として有価媒体を処理させる制御手段とを有する有価媒体処理装置とした。
2010089895.tif 000002
【特許請求の範囲】
【請求項１】
有価媒体を処理する有価媒体処理手段と、
有価媒体の処理に関する情報を記憶する記憶手段と、
有価媒体の処理に関する情報を表示する表示手段と、
有価媒体の処理に関する情報を入力する入力手段と、
前記有価媒体処理手段による有価媒体の未処理日に関する情報を前記表示手段に表示させる表示制御手段と、
前記表示手段にされた特定の未処理日が前記入力手段により入力された場合に、前記有価媒体処理手段に前記未処理日の処理として有価媒体を処理させる制御手段と
を有することを特徴とする有価媒体処理装置。
【請求項２】
前記制御手段は、前記入力された未処理日と前記有価媒体処理手段により処理された有価媒体の処理結果とを関連付けて前記記憶手段に記憶させることを特徴とする請求項１に記載の有価媒体処理装置。
【請求項３】
前記有価媒体処理手段は、キャッシュレジスタから回収した有価媒体の数量および種類を集計処理することを特徴とする請求項１に記載の有価媒体処理装置。
【請求項４】
前記有価媒体処理手段は、キャッシュレジスタから回収された有価媒体の総額または総価値を集計処理することを特徴とする請求項１に記載の有価媒体処理装置。
【請求項５】
有価媒体の数量および種類を受付ける数量受付手段と、
前記キャッシュレジスタに関する情報を受付ける情報受付手段と、
前記有価媒体処理手段による集計結果と前記数量受付手段により受付けた有価媒体の数量および種類とを比較することにより誤差を検出する誤差検出手段とを備え、
前記制御手段は、前記誤差検出手段が誤差を検出した場合、前記誤差に関する情報と前記誤差が検出されたキャッシュレジスタに関する情報とを前記記憶手段に記憶させることを特徴とする請求項１に記載の有価媒体処理装置。
【請求項６】
有価媒体の総額または総価値を受付ける価値受付手段と、
前記キャッシュレジスタに関する情報を受付ける情報受付手段と、
前記有価媒体処理手段による集計結果と前記価値受付手段により受付けた有価媒体の総額または総価値とを比較することにより誤差を検出する誤差検出手段とを備え、
前記制御手段は、前記誤差検出手段が誤差を検出した場合、前記誤差に関する情報と前記誤差が検出されたキャッシュレジスタに関する情報とを前記記憶手段に記憶させることを特徴とする請求項１に記載の有価媒体処理装置。
【請求項７】
前記表示制御手段は、前記記憶手段に記憶された前記誤差に関する情報と前記誤差が検出されたキャッシュレジスタに関する情報とを前記表示手段に表示させることを特徴とする請求項５又は請求項６に記載の有価媒体処理装置。
【請求項８】
前記表示制御手段は、前記記憶手段に記憶された所定の閾値を超えた誤差を含む情報と前記誤差が検出されたキャッシュレジスタに関する情報とを前記表示手段に表示させることを特徴とする請求項５又は請求項６に記載の有価媒体処理装置。
【請求項９】
前記有価媒体処理手段は、
入金された有価媒体を識別する識別手段と、
前記識別手段により識別された有価媒体を収納する収納手段と
を有することを特徴とする請求項１に記載の有価媒体処理装置。
【請求項１０】
有価媒体を出金する前記有価媒体処理手段と、
有価媒体の出金を前記制御手段に要求する出金要求手段とを備え、
前記制御手段は、前記入力された未処理日と前記出金要求とを受付け、有価媒体が出金可能な状態であると判定した場合に、前記有価媒体の出金を行うことを特徴とする請求項１に記載の有価媒体処理装置。
【請求項１１】
前記制御手段は、前記表示手段に表示された未処理日に関する情報から特定の未処理日が前記入力手段により選択された場合に、前記有価媒体処理手段に前記未処理日の処理として有価媒体を処理させることを特徴とする請求項１又は請求項１０に記載の有価媒体処理装置。
【請求項１２】
前記制御手段は、前記記憶手段に記憶された前記誤差に関する情報が所定の閾値以下の場合、前記有価媒体処理手段により有価媒体の出金を行うことを特徴とする請求項１０に記載の有価媒体処理装置。
【請求項１３】
前記キャッシュレジスタに関する情報は、キャッシュレジスタの識別情報と操作者情報とを含むことを特徴とする請求項５又は請求項６に記載の有価媒体処理装置。
【請求項１４】
有価媒体の処理に関する情報を記憶する記憶ステップと、
前記記憶ステップで記憶した有価媒体の未処理日に関する情報を所定の表示手段に表示させる表示ステップと、
前記表示手段にされた特定の未処理日が有価媒体の処理に関する情報を入力する入力手段により入力された場合に、前記未処理日の処理として有価媒体を処理する有価媒体処理ステップと
を有することを特徴とする有価媒体処理方法。
【発明の詳細な説明】
【技術分野】
【０００１】
本発明は、有価媒体処理装置及び有価媒体処理方法に関するものである。
【背景技術】
【０００２】
従来、百貨店やスーパーマーケット等の店舗では、その日の営業が終了した後に、店頭に設置されている各キャッシュレジスタ（以下、「レジ」という。）の係員が、担当する各レジからその日の売上金を回収し、所定の出納室等に設置された現金処理機を用いて、売上金の集計を行っていた。【０００３】
このように売上金の集計を行う装置では、通常、各売上日単位で売上金を集計管理していた。たとえば、特許文献１には、各売上日単位で売上金の現金を管理すると共に、前日の現金処理が終了しないまま、電源を切らずに日付が変わった場合、その旨を所定の表示部に表示させることによって、次の使用者に当該現金処理機の再起動を促し、次の利用者の操作により再起動されると、終了していない前日の現金処理を終了させてから、当日の現金処理を開始するように構成した現金処理機が記載されている。【０００４】
かかる構成により、この現金処理機では、前日の現金処理が完全に終了していない未処理状態であっても、翌日に次の利用者が表示部の表示に従って、当該現金処理機を再起動させることにより、前日の現金処理を完了させることができるので、利用者が当日の現金処理を終了させた際に、誤って当日分の現金処理と前日分の現金処理とが、共に前日分の現金処理として管理されることがない。
【特許文献１】特許第４０５０８８８号公報
【発明の開示】
【発明が解決しようとする課題】
【０００５】
しかしながら、上記した特許文献１に記載の現金処理機では、利用者が複数日分の売上金を後日各売上日の売上金毎にまとめて処理する場合について考慮されていなかったため、その作業を行う際に、利用者は煩雑な作業を行わなければならなかった。【０００６】
たとえば、海外市場等では、各レジの係員により各レジから回収されてきた売上金を、専任の出納員が現金処理機に入金して集計するシステムを採用している店舗がある。しかしながら、出納員が何回か休日（たとえば、土曜日や日曜日など。）を取るような出勤状況等によっては、売上金を毎日集計することができない場合ある。【０００７】
この場合、各レジの係員により回収された売上金は、売上日毎に所定の金庫等に保管され、後日出勤してきた出納員によって、複数日分の売上金が各売上日毎にまとめて集計処理されることとなる。【０００８】
その際、出納員は、現金処理機の売上日付を各売上日の日付に設定しなおした上で、その売上日の売上金を処理する画面を表示部に表示させてから売上金の処理を行わなければならないため、その作業が煩雑であった。【０００９】
また、従来の現金処理機では、回収金の入金だけでなく、翌日以降に使用する複数日分の釣銭準備金等の出金処理を行う場合にも、現金処理機の出金処理日の日付をその都度設定する必要があるため、その作業が煩雑であった。【００１０】
そこで、本発明は、出納員等の利用者が複数日分の売上金等の有価媒体を後日各売上日に売上げられた有価媒体毎にまとめて処理させる場合や、複数日分の出金をまとめて処理させる場合に、その作業の煩雑さを低減することができる有価媒体処理装置及び有価媒体処理方法を提供することを目的とする。
【課題を解決するための手段】
【００１１】
そこで、本発明では、有価媒体を処理する有価媒体処理手段と、有価媒体の処理に関する情報を記憶する記憶手段と、有価媒体の処理に関する情報を表示する表示手段と、有価媒体の処理に関する情報を入力する入力手段と、前記有価媒体処理手段による有価媒体の未処理日に関する情報を前記表示手段に表示させる表示制御手段と、前記表示手段にされた特定の未処理日が前記入力手段により入力された場合に、前記有価媒体処理手段に前記未処理日の処理として有価媒体を処理させる制御手段とを有する有価媒体処理装置を提供することとした。【００１２】
また、本発明では、前記制御手段は、前記入力された未処理日と前記有価媒体処理手段により処理された有価媒体の処理結果とを関連付けて前記記憶手段に記憶させることを特徴とする。【００１３】
また、本発明では、前記有価媒体処理手段は、キャッシュレジスタから回収した有価媒体の数量および種類を集計処理することを特徴とする。【００１４】
また、本発明では、前記有価媒体処理手段は、キャッシュレジスタから回収された有価媒体の総額または総価値を集計処理することを特徴とする。【００１５】
また、本発明では、有価媒体の数量および種類を受付ける数量受付手段と、前記キャッシュレジスタに関する情報を受付ける情報受付手段と、前記有価媒体処理手段による集計結果と前記数量受付手段により受付けた有価媒体の数量および種類とを比較することにより誤差を検出する誤差検出手段とを備え、前記制御手段は、前記誤差検出手段が誤差を検出した場合、前記誤差に関する情報と前記誤差が検出されたキャッシュレジスタに関する情報とを前記記憶手段に記憶させることを特徴とする。【００１６】
また、本発明では、有価媒体の総額または総価値を受付ける価値受付手段と、前記キャッシュレジスタに関する情報を受付ける情報受付手段と、前記有価媒体処理手段による集計結果と前記価値受付手段により受付けた有価媒体の総額または総価値とを比較することにより誤差を検出する誤差検出手段とを備え、前記制御手段は、前記誤差検出手段が誤差を検出した場合、前記誤差に関する情報と前記誤差が検出されたキャッシュレジスタに関する情報とを前記記憶手段に記憶させることを特徴とする。【００１７】
また、本発明では、前記表示制御手段は、前記記憶手段に記憶された前記誤差に関する情報と前記誤差が検出されたキャッシュレジスタに関する情報とを前記表示手段に表示させることを特徴とする。【００１８】
また、本発明では、前記表示制御手段は、前記記憶手段に記憶された所定の閾値を超えた誤差を含む情報と前記誤差が検出されたキャッシュレジスタに関する情報とを前記表示手段に表示させることを特徴とする。【００１９】
また、本発明では、前記有価媒体処理手段は、入金された有価媒体を識別する識別手段と、前記識別手段により識別された有価媒体を収納する収納手段とを有することを特徴とする。【００２０】
また、本発明では、有価媒体を出金する前記有価媒体処理手段と、有価媒体の出金を前記制御手段に要求する出金要求手段とを備え、前記制御手段は、前記入力された未処理日と前記出金要求とを受付け、有価媒体が出金可能な状態であると判定した場合に、前記有価媒体の出金を行うことを特徴とする。【００２１】
また、本発明では、前記制御手段は、前記表示手段に表示された未処理日に関する情報から特定の未処理日が前記入力手段により選択された場合に、前記有価媒体処理手段に前記未処理日の処理として有価媒体を処理させることを特徴とする。【００２２】
また、本発明では、前記制御手段は、前記記憶手段に記憶された前記誤差に関する情報が所定の閾値以下の場合、前記有価媒体処理手段により有価媒体の出金を行うことを特徴とする。【００２３】
また、本発明では、前記キャッシュレジスタに関する情報は、キャッシュレジスタの識別情報と操作者情報とを含むことを特徴とする。【００２４】
また、本発明では、有価媒体の処理に関する情報を記憶する記憶ステップと、
前記記憶ステップで記憶した有価媒体の未処理日に関する情報を所定の表示手段に表示させる表示ステップと、前記表示手段にされた特定の未処理日が有価媒体の処理に関する情報を入力する入力手段により入力された場合に、前記未処理日の処理として有価媒体を処理する有価媒体処理ステップとを有する有価媒体処理方法を提供することとした。
【発明の効果】
【００２５】
本発明では、有価媒体を処理する有価媒体処理手段と、有価媒体の処理に関する情報を記憶する記憶手段と、有価媒体の処理に関する情報を表示する表示手段と、有価媒体の処理に関する情報を入力する入力手段と、前記有価媒体処理手段による有価媒体の未処理日に関する情報を前記表示手段に表示させる表示制御手段と、前記表示手段にされた特定の未処理日が前記入力手段により入力された場合に、前記有価媒体処理手段に前記未処理日の処理として有価媒体を処理させる制御手段とを有する有価媒体処理装置を提供することとしたため、出納員等の利用者が複数日分の売上金等の有価媒体を後日各売上日に売上げられた有価媒体毎にまとめて処理させる場合や、複数日分の出金をまとめて処理させる場合に、その作業の煩雑さを低減することができる。【００２６】
また、本発明では、前記制御手段は、前記入力された未処理日と前記有価媒体処理手段により処理された有価媒体の処理結果とを関連付けて前記記憶手段に記憶させることを特徴とするため、出納員等の利用者が複数日分の売上金等の有価媒体を後日各売上日に売上げられた有価媒体毎にまとめて処理させた場合や、複数日分の出金をまとめて処理させた場合に、その処理結果と処理日とを容易に管理することができる。【００２７】
また、本発明では、前記有価媒体処理手段は、キャッシュレジスタから回収した有価媒体の数量および種類を集計処理することを特徴とするため、出納員等の利用者が複数日分の売上金等の有価媒体を後日各売上日に売上げられた有価媒体毎にまとめて集計処理させる場合、その作業の煩雑さを低減することができる。【００２８】
また、本発明では、前記有価媒体処理手段は、キャッシュレジスタから回収された有価媒体の総額または総価値を集計処理することを特徴とするため、出納員等の利用者が複数日分の売上金等の有価媒体を後日各売上日に売上げられた有価媒体毎にまとめて集計処理させる場合、その作業の煩雑さを低減することができる。【００２９】
また、本発明では、有価媒体の数量および種類を受付ける数量受付手段と、前記キャッシュレジスタに関する情報を受付ける情報受付手段と、前記有価媒体処理手段による集計結果と前記数量受付手段により受付けた有価媒体の数量および種類とを比較することにより誤差を検出する誤差検出手段とを備え、前記制御手段は、前記誤差検出手段が誤差を検出した場合、前記誤差に関する情報と前記誤差が検出されたキャッシュレジスタに関する情報とを前記記憶手段に記憶させることを特徴とするため、出納員等の利用者が複数日分の売上金等の有価媒体を後日各売上日に売上げられた有価媒体毎にまとめて処理させる場合、その作業の煩雑さを低減することができ、さらに、有価媒体の集計処理を後日行った際に、有価媒体の数量および種類について、集計結果に関する誤差の情報と前記誤差が検出されたキャッシュレジスタに関する情報とを容易に管理することができる。【００３０】
また、本発明では、有価媒体の総額または総価値を受付ける価値受付手段と、前記キャッシュレジスタに関する情報を受付ける情報受付手段と、前記有価媒体処理手段による集計結果と前記価値受付手段により受付けた有価媒体の総額または総価値とを比較することにより誤差を検出する誤差検出手段とを備え、前記制御手段は、前記誤差検出手段が誤差を検出した場合、前記誤差に関する情報と前記誤差が検出されたキャッシュレジスタに関する情報とを前記記憶手段に記憶させることを特徴とするため、出納員等の利用者が複数日分の売上金等の有価媒体を後日各売上日に売上げられた有価媒体毎にまとめて処理させる場合、その作業の煩雑さを低減することができ、さらに、有価媒体の集計処理を後日行った際に、有価媒体の総額または総価値について、集計結果に関する誤差の情報と前記誤差が検出されたキャッシュレジスタに関する情報とを容易に管理することができる。【００３１】
また、本発明では、前記表示制御手段は、前記記憶手段に記憶された前記誤差に関する情報と前記誤差が検出されたキャッシュレジスタに関する情報とを前記表示手段に表示させることを特徴とするため、集計処理において誤差が発生したキャッシュレジスタを容易に特定することができる。【００３２】
また、本発明では、前記表示制御手段は、前記記憶手段に記憶された所定の閾値を超えた誤差を含む情報と前記誤差が検出されたキャッシュレジスタに関する情報とを前記表示手段に表示させることを特徴とするため、集計処理において所定の閾値を超えた誤差が発生したキャッシュレジスタを容易に特定することができる。【００３３】
また、本発明では、前記有価媒体処理手段は、入金された有価媒体を識別する識別手段と、前記識別手段により識別された有価媒体を収納する収納手段とを有することを特徴とするため、複数日分の売上金等の有価媒体を収納手段に収納して保管しておくことができる。【００３４】
また、本発明では、有価媒体を出金する前記有価媒体処理手段と、有価媒体の出金を前記制御手段に要求する出金要求手段とを備え、前記制御手段は、前記入力された未処理日と前記出金要求とを受付け、有価媒体が出金可能な状態であると判定した場合に、前記有価媒体の出金を行うことを特徴とするため、複数日分の出金作業を行う際に、その作業の煩雑さを低減することができる。【００３５】
また、本発明では、前記制御手段は、前記表示手段に表示された未処理日に関する情報から特定の未処理日が前記入力手段により選択された場合に、前記有価媒体処理手段に前記未処理日の処理として有価媒体を処理させることを特徴とするため、未処理日を入力する手間を省くことができ、表示中の未処理日を選択するだけで、その日の処理として有価媒体の処理を行わせることができる。【００３６】
また、本発明では、前記制御手段は、前記記憶手段に記憶された前記誤差に関する情報が所定の閾値以下の場合、前記有価媒体処理手段により有価媒体の出金を行うことを特徴とするため、集計結果における誤差が所定の閾値を越えたキャッシュレジスタへの有価媒体の払出しをできなくすることができる。【００３７】
また、本発明では、前記キャッシュレジスタに関する情報は、キャッシュレジスタの識別情報と操作者情報とを含むことを特徴とするため、集計処理において誤差の発生したキャッシュレジスタと、そのキャッシュレジスタの操作者とを容易に管理することができる。
【図面の簡単な説明】
【００３８】
【図１】図１は、本実施形態に係る有価媒体処理システムを示す説明図である。
【図２】図２は、本実施形態に係る入出金機の構成を示す機能ブロック図である。
【図３】図３は、識別情報がＮｏ．０１、レジ員の担当者ＩＤが０１０１のレジ１に関するある月の処理履歴テーブルを示す説明図である。
【図４】図４は、出納員が集計作業を行う際に、表示操作部に表示される画像の一例を示す説明図である。
【図５】図５は、本実施形態に係る入出金機で実行される処理を示すフローチャートである。
【図６】図６は、本実施形態に係る入出金機で実行される処理を示すフローチャートである。
【図７】図７は、出納員が出金作業を行う際に、表示操作部に表示される画像の一例を示す説明図である。
【図８】図８は、本実施形態に係る出金処理で実行される処理を示すフローチャートである。
【符号の説明】
【００３９】
Ｓ      有価媒体処理システム
１〜３  レジスタ（レジ）
４      入出金機
５      入金部
６      出金部
７      返却部
８      表示操作部
９      カードリーダ部
２１    主制御部
２２    表示制御部
２３    集計処理部
２４    誤差量検出処理部
２５    処理履歴記憶部
２６    識別判定処理部
２７    搬送制御部
２８    搬送機構
２９    金種別収納部
３０    払出処理部
【発明を実施するための最良の形態】
【００４０】
以下に添付図面を参照して、本発明に係る有価媒体処理装置の好適な一実施形態について説明する。なお、以下では、店頭に設置された複数台のキャッシュレジスタ（以下、「レジ」という。）と、バックヤードの出納室に設置され、これら複数台のレジから回収された売上金の管理を行う入出金機とを備えた有価媒体処理システムに対して本発明を適用した場合を例に挙げて説明するが、本発明は、商品券やクーポン券等といった貨幣以外の有価媒体を取扱う有価媒体処理装置に対しても適用することができる。また、本発明は、入金のみを行う有価媒体処理装置、出金のみを行う有価媒体処理装置、入金及び出金の両方を行う有価媒体処理装置等、各種有価媒体処理装置に対して適用することができる。【００４１】
図１は、本実施形態に係る有価媒体処理システムを示す説明図である。図１に示すように、本実施形態に係る有価媒体処理システムＳは、店頭に設置された複数台（ここでは、３台）のレジ１、２、３と、店舗のバックヤードの出納室に設置され、これら３台のレジ１、２、３から回収した売上金の管理を行う入出金機４とにより構成している。【００４２】
各レジ１、２、３は、顧客から支払われた商品代金の精算処理等を行う装置であり、従来一般に使用されているレジと同様の構成であるため、ここでは、その詳細な説明を省略する。なお、本実施形態の入出金機４に処理させる現金等の有価媒体の回収先となる装置は、レジ各レジ１、２、３に限定するものではなく、例えば、店舗の窓口等に配設されたドロワを備えた端末装置等、他の装置でもよい。【００４３】
各レジ１、２、３には、それぞれ各レジ１、２、３を識別するために固有の識別情報が割り当てられており、本実施形態では、レジ１にはＮｏ．０１が、レジ２にはＮｏ．０２が、レジ３にはＮｏ．０３がそれぞれ識別情報として割り当てられている。【００４４】
また、各レジ１、２、３は、それぞれ決まった操作担当者（以下、「レジ員」という。）がその操作を担当するようにしており、これらのレジ員にも、各レジ員を識別するために、それぞれ固有の担当者識別情報（以下、「担当者ＩＤ」という。）が割り当てられている。【００４５】
本実施形態では、レジ１を担当するレジ員に０１０１が、レジ２を担当するレジ員に０１０２が、レジ３を担当するレジ員に０１０３が、それぞれ担当者ＩＤとして割り当てられている。【００４６】
各レジ員は、一日の営業が終了した後に、自身が担当するレジ１、２、３を操作して、各レジ１、２、３が一日に精算処理した売上金の印字されたレシートを各レジ１、２、３に発行させ、その後、レジ１、２、３からその日の売上金を回収して、入出金機４が設置されているバックヤードの出納室まで持って行き、出納室内に設けられた所定の金庫に売上金を保管する。なお、防犯面の配慮等から営業途中に売上金を回収（途中回収）する場合もあり、この場合、途中回収した売上金は金庫に保管する。【００４７】
入出金機４は、レジ員とは別の専任の担当者（以下、「出納員」という。）が操作する装置であり、この出納員により売上金が投入されると、その売上金を各営業日（売上日）単位及び各レジ１、２、３、単位で集計処理し、その処理結果を内部に記憶して売上金を管理する装置である。また、この入出金機４は、各レジ１、２、３、で翌日以降に使用される釣銭準備金の払出処理も行う。【００４８】
この入出金機４は、その筐体上面に、売上金等の貨幣を投入する入金部５と、釣銭準備金等の貨幣を払い出す出金部６と、投入された貨幣のうち判読不能券、汚損券や偽券等の当該入出金機４では取扱い不可能な紙葉類を返却する返却部７とが設けられている。【００４９】
また、入出金機４の筐体の上部奥側には、入出金機４の操作手順や処理結果等の各種案内画像を表示すると共に、出納員が画面上の所定位置に触れることによって、売上金に関する各種処理を実行させるタッチパネル型の表示操作部８を備えている。さらに、表示装置部８の下方には、後に説明する特定の人物にのみ配布されたＩＤカードが挿入されると、そのＩＤカードから所定の情報を読取るカードリーダ部９を備えている。なお、図１中の符号１０は、入出金機４内に収納した貨幣の回収を行う際、及び入出金機４への貨幣の補充を行う際に開閉する扉であり、符号１１は、扉１０の施錠及び開錠を行う鍵孔である。【００５０】
また、入出金機４の筐体内部には、投入された貨幣に関する各種処理を実行する主制御部等が収納されている。ここで、入出金機４の具体的構成等について、図２を参照して説明する。本実施形態に係る入出金機４の構成を示す機能ブロック図である。【００５１】
入出金機４は、図２に示すように、当該入出金機４の動作を統括制御する主制御部２１と、この主制御部２１による制御に従ってそれぞれ動作する表示制御部２２、集計処理部２３、誤差量検出処理部２４、識別判定処理部２６、搬送制御部２７、払出処理部３０を備えている。これらは、それぞれ通信用のバスにより接続されている。【００５２】
また、この入出金機４は、前述した表示操作部８、カードリーダ部９、入金部５、出金部６、返却部７、入金された売上金等の貨幣を金種別に収納する金種別収納部２９を備えている。入金部５、出金部６、返却部７、金種別収納部２９、識別判定処理部２６、払出処理部３０は、それぞれ、搬送機構２８を介して搬送制御部２７と接続されている。さらに、この入出金機４は、売上金に関する処理の履歴に関する処理履歴情報及び釣銭準備金等の払出し履歴情報等を記憶する処理履歴記憶部２５を備えている。【００５３】
主制御部２１は、ＣＰＵ（Central Processing Unit）とＲＯＭ（Read-Only Memory）とＲＡＭ（Random Access Memory）とを備えており、表示操作８から入力される所定の操作信号に基づいて、ＣＰＵがＲＯＭに記憶している複数種類の各種情報処理プログラムを適宜読み出して実行することにより、表示制御部２２、集計処理部２３、誤差量検出処理部２４、識別判定処理部２６、搬送制御部２７、払出処理部３０の各動作を制御すると共に、処理履歴記憶部２３内の各種処理履歴情報の更新等を行って、入出金機４の動作を統括制御する。なおＲＡＭは、ＣＰＵがＲＯＭに記憶している各種情報処理プログラムを実行する際に、作業領域として使用される一時記憶領域として機能するものである。【００５４】
表示制御部２２は、主制御部２１による制御に従って動作し、表示操作部８に入出金機４の操作手順や処理結果等の各種案内画像を適宜表示させる。また、この表示制御部２２は、釣銭準備金等を払出す際に、払出す貨幣の種類及び数量の組み合わせパターンを出納員に選択させる画面の表示も行う。ここでは、表示制御部２２と主制御部２１とを別体として記載しているが、この表示制御部２２が備える表示制御機能を主制御部２１に担わせてもよい。【００５５】
また、識別判定処理部２６は、主制御部２１による制御に従って動作し、入金部５に投入された貨幣を一枚ずつ撮像して、各貨幣の真偽、正損、金種等を識別判定する処理を行う。この識別判定処理部２６により損券や偽券等と判定された紙葉類は、返却部７から機外へ返却される。【００５６】
集計処理部２３は、主制御部２１による制御に従って動作し、識別判定処理部２６により損券や偽券等ではない正規の貨幣であると判定された貨幣の数量および種類を各レジ１、２、３単位で集計する。なお、本実施形態では、集計処理部２３が貨幣の数量および種類を集計するように構成しているが、集計処理部２３が現金と商品券やクーポン券等の他の有価媒体との総額または総価値を各レジ１、２、３単位で集計するように構成してもよい。【００５７】
誤差量検出処理部２４は、主制御部２１による制御に従って動作し、出納員が入出金機４に貨幣を入金する際に表示操作部８を操作して入力する入金金額と、集計処理部２３による貨幣の集計結果との誤差量を検出する。このとき、出納員が入力する各入金金額は、一日の営業が終了した後に、各レジ１、２、３から発行されたレシートに印字されている当日のレジ１、２、３毎の売上金額である。【００５８】
ここでは、出納員が入金する現金の金額を入力する場合を例に挙げているが、入金金額ではなく、通貨の種類、金種、または、クーポン券や商品券の種類毎にそれぞれの有価媒体の総額または総価値を入力してもよい。有価媒体の総額または総価値を入力する場合、誤差量検出処理部２４は、入力された有価媒体の総額または総価値と、集計処理部２３の集計結果との誤差量を検出する。【００５９】
なお、本実施形態の入出金機４では、出納員が表示操作部８を用いて手入力により売上金額等を入力するように構成しているが、売上金額等を入力する構成はこれに限定するものではなく、他の構成により売上金額の入力を行ってもよい。たとえば、入出金機４と各レジ１、２、３とをそれぞれ所定の通信ネットワークを介して接続しておき、各レジ１、２、３から入出金機４へ当日の売上金額（金種別の貨幣の枚数や総額、総価値等）を送信して、入出金機４に入力するように構成してもよい。これ以外にも、入出金機４にバーコードリーダを設け、売上金額が記録されたバーコードを用いて当日の売上金額等を入出金機４へ入力するように構成してもよい。さらには、入出金機４に電子記憶媒体を接続可能な接続インターフェースを設け、売上金額が記録された電子記憶媒体を用いて当日の売上を入出金機４に入力するように構成してもよい。【００６０】
表示操作部８は、前述のように、入出金機４の操作手順や処理結果等の各種案内画像を表示すると共に、出納員が画面上の所定位置に触れることによって、売上金に関する各種処理を実行させるタッチパネル型の表示装置である。【００６１】
そして、この表示操作部８は、出納員が画面上の所定位置に触れて操作を行うと、その操作に応じた操作信号を主制御部２１へ出力する。この操作信号を受信すると主制御部２１は、受信した操作信号に応じて、表示制御部２２、識別判定処理部２６、集計処理部２３、誤差量検出処理部２４、搬送制御部２７、払出処理部３０等へそれぞれ所定の制御信号を出力する。【００６２】
カードリーダ部９は、たとえば、店舗の管理者や監督者等の特定の権限が与えられた人物のみに配布されたＩＤカードが挿入されると、そのＩＤカードからそのＩＤカードの所有者を特定する情報を読取り、その情報を主制御部２１へ出力する。主制御部２１は、カードリーダ部９からこの情報を受信すると、表示制御部８を動作制御して、表示操作部８に全ての処理履歴情報を表示させる。すなわち、本実施形態の入出金機４では、このＩＤカードを挿入することによって、処理履歴記憶部２５に記憶している全ての処理履歴情報を表示操作部８に表示させることができるように構成している。【００６３】
なお、本実施形態の入出金機４では、ＩＤカードにより特定の権限が与えられた人物を特定するように構成しているが、特定の権限が与えられた人物を特定する構成はこれに限定するものではなく、他の構成により人物の特定を行ってもよい。たとえば、入出金機４に生態認証機能を設け、予め特定の権限を与えられた人物の生態情報（たとえば、顔画像や指紋情報、静脈情報、網膜情報等）を登録しておき、これらの生態情報に基づいて人物を特定するように構成してもよい。また、生態情報以外にも、たとえば、特定の人物に関する固有の情報を記憶したバーコードや電子記憶媒体を用いて、特定の人物を特定するように入出金機４を構成してもよい。【００６４】
搬送制御部２７は、主制御部２１による制御に従って動作し、搬送機構２８の駆動制御を行う。搬送機構２８は、入金部５、出金部６、返却部７、識別判定処理部２６、金種別収納部２９の各間で双方向に貨幣を搬送可能に構成している。【００６５】
また、金種別収納部２９は、各金種毎に貨幣を一時保管する複数のスタッカを備えている。識別判定処理部２６により金種が判定された貨幣は、各金種別に分別されてそれぞれ金種別のスタッカに収納される。また、釣銭準備金等を払い出す際には、この金種別収納部２９から出金部６へ搬送機構２８によって貨幣が搬送されて出金される。【００６６】
処理履歴記憶部２５は、大容量のフラッシュメモリ等の不揮発性メモリにより構成しており、集計処理部２３により貨幣が集計処理された処理日の日付、その処理日に集計処理部２３により集計処理された貨幣の集計結果、その集計結果と出納員により入力された入力金額との誤差量等とをそれぞれ対応付けて処理履歴情報として記憶している。そして、この処理履歴記憶部２５では、各処理履歴情報を集計処理が行われた貨幣の回収された各レジ１、２、３及びそのレジ員毎に区別し、各レジ１、２、３毎の処理履歴テーブルとして記憶している。【００６７】
また、この処理履歴記憶部２５は、集計処理に関する履歴情報に加えて、払出処理に関する処理履歴情報も記憶している。そして、この処理履歴記憶部２５は、この払出処理に関する処理履歴情報についても、各レジ１、２、３及びそのレジ員毎に区別して、払出処理に対応する処理日と払出処理の処理結果とを対応付けて記憶している。なお、ここでの払出処理に対応する処理日とは、払出処理を行った日付ではなく、払出した貨幣が釣銭準備金等として各レジ１、２、３で使用される予定日を意味するものである。【００６８】
また、この処理履歴記憶部２５は、集計処理および払出処理について、未処理日の日付と、その未処理日に処理されるはずの処理が実際に処理された日付とを対応付けて記憶している。【００６９】
ここで、図３を参照して、処理履歴記憶部２５に記憶している処理履歴テーブルについて、具体的に説明する。図３は、識別情報がＮｏ．０１、レジ員の担当者ＩＤが０１０１のレジ１に関するある月の処理履歴テーブルを示す説明図である。【００７０】
図３に示すように、処理履歴記憶部２５には、レジ１に関する処理履歴テーブルとして、集計処理部２３によって集計処理が行われた処理日と、その集計処理の結果に基づいて誤差量検出処理部２４により検出された誤差金額と、誤差金額が所定の閾値を超えた累積回数と、集計処理部２３により集計処理が行われるべき日に入出金機４へレジ１から回収された貨幣が入金されたか否かを示す入金済フラグと、前述の累積回数が所定回数（規定回数：ここでは３回）に達したか否かを示す警告フラグとがそれぞれ対応付けられて記憶されている。なお、ここでは、図示を省略しているが、この処理履歴テーブルには、入出金機４で貨幣の払出処理が行われるべき日に払出処理が行われたか否かを示す出金フラグも記憶されている。【００７１】
この処理履歴テーブルから、レジ１は、この月の１日、２日、３日、５日に集計処理が行われ、４日に集計処理が行われなかったことがわかる。そのため、１日、２日、３日、５日に対応する入金済フラグとして、処理済（入金済み）を示す「１」が記憶され、４日に対応する入金済フラグとして、未処理（未入金）を示す「０」が記憶されている。【００７２】
また、この処理履歴テーブルに記憶した累積回数に対応する数値から、２日、３日、５日に検出された誤差金額が所定の誤差量を超えており、５日に、誤差量検出処理部２４により検出した誤差金額が所定の誤差量を超えた累積回数が規定回数の３回に達したことが分かる。そのため、この入出金機４では、誤差金額が所定の誤差量を超えた累積回数が規定回数の３回に達した場合に、そのレジ１に関して、処理履歴テーブルに記憶されている誤差量が所定の閾値を超えたと判断して、処理履歴テーブルに警告フラグとして、後述の警告表示を行うことを示す「１」を記憶させる。【００７３】
ここでの誤差量は、出納員が手入力した売上金額と集計処理の結果得られた集計金額との誤差量の絶対値のことであり、出納員が手入力した売上金額に対するプラスの誤差およびマイナスの誤差の両方を含むものである。【００７４】
なお、本実施形態の入出金機４では、誤差金額が所定の閾値を超えた累積回数が３回に達した場合に、警告フラグを立てるように構成しているが、警告フラグを立てる基準はこれに限定するものではなく、他の基準に基づいて警告フラグを立てるように構成してもよい。たとえば、単位時間に発生した誤差量が所定の閾値を超えた場合に、警告フラグを立てるように構成してもよい。かかる構成とする場合、発生した誤差量をレジの稼働時間で割った誤差量が所定の閾値を超えていた場合に警告フラグを立てる。また、一定期間における誤差絶対値の累計が所定の閾値を超えた場合に、誤差量が所定の閾値を超えたと判断して、警告フラグを立てるように構成してもよい。【００７５】
そして、本実施形態の入出金機４では、処理履歴記憶部２５内に、各レジ１、２、３単位、及び各レジ員単位でそれぞれ上記したような処理履歴テーブルを記憶している。このように、本実施形態では、この処理履歴記憶部２５が、有価媒体を回収した各レジスタ毎に、有価媒体処理手段による有価媒体の処理日と、その処理日に対応する有価媒体の処理結果とを記憶する記憶手段として機能する。【００７６】
次に、このように構成した入出金機４により出納員が貨幣の集計を行う際の作業の一連の流れについて、図４（ａ）〜（ｉ）を参照しながら具体的に説明する。図４（ａ）〜（ｉ）は、出納員が集計作業を行う際に、表示操作部８に表示される画像の一例を示す説明図である。【００７７】
ここで、出納員が貨幣の集計を行う際の作業の一連の流れを説明する前に、以下の説明中における未処理日の概念について説明する。以下の説明における未処理日とは、所定の予め設定された期間内において、処理が実行されていない日のことをいう。【００７８】
より具体的には、売上金入金処理に関する未処理日とは、当日または当日以前において、未だ売上金入金が行われていない日のことをいう。通常、上記未処理日は、当日または過去日付となる。ただし、レジの開設処理（該当営業日において、その日オープン予定のレジを登録しておく処理）が終了していない場合、その日は未処理日の候補として表示手段に表示されない。なお、この場合、表示手段に表示されない日付の処理として売上金入金が行われようとした場合、警告をだしてもよい。【００７９】
また、本実施形態での釣銭準備金出金処理に関する未処理日とは、当日または翌日以降において、未だ釣銭準備金出金が行われていない日付のことをいう。通常、上記未処理日は、当日または未来日付となる。【００８０】
また、本実施形態では、釣銭準備金を出金する際、所定の設定された期間内において、出金していないレジの釣銭準備金を出金する。たとえば、所定の設定期間を３日とした場合、当日から３日以内の釣銭準備金を出金していないレジが表示手段に表示される。【００８１】
また、釣銭準備金を出金する場合、既に出金した釣銭準備金の金額または出金回数によって、出金制限を行う。たとえば、１日に一台のレジに対して出金可能な釣銭準備金の金額又は出金回数に上限を設け、その上限を超える出金依頼があった場合には、出金依頼を入出金機４側で拒否するように入出金機４を構成する。同様に、釣銭準備金の出金処理に関する未処理日の累計（たとえば、３日）の間に、１台のレジに対して出金可能な釣銭準備金の金額又は出金回数に上限を設けてもよい。【００８２】
また、釣銭準備金の出金制限については、前述のレジの開設処理が終了しているか否かに基づいて、制限してもよい。たとえば、レジの開設処理が終了していないと判定した場合に、釣銭準備金の出金を拒否するように入出金機４を構成する。なお、レジの開設処理が終了していなくても、釣銭準備金の出金を行わせるように入出金機４を構成してもよい。【００８３】
本実施形態の入出金機４では、待機状態において、図４（ａ）に示すように、表示操作部８に「入金」と「出金」と「処理履歴」という文字を表示させ、利用者である出納員に入金処理と、出金処理と、処理履歴表示処理とのうちから、入出金機４に実行させる一つの処理を選択させる。【００８４】
そして、出納員が入金作業を行うために画面上の「入金」の部分に触れると、入出金機４は、図４（ｂ）に示すように、表示操作部８に「レジ番号を入力してください。」というレジ１、２、３の識別情報の入力を促す案内画像を表示させる。【００８５】
ここで、出納員が画面上のテンキーの部分を操作して、レジ１の識別情報である「０１」を入力し、「決定」を操作したとする。このとき、レジ１に関して、売上金の集計を行うべき日であって、集計が行われなかった未処理日が存在しない場合、入出金機４は、図４（ｃ）に示すように、当日の日付（１９日月曜）分の入金案内画像を表示操作部８に表示させる。なお、ここでは、出納員にこれから入金する売上金を回収したレジ（ここでは、レジ１）の識別情報を入力させるように構成したが、レジ１から売上金を回収したレジ員の担当者ＩＤを入力させるように構成してもよい。【００８６】
そして、出納員が、この入金案内画像（図４（ｃ））中のテンキー部分を操作して、これから入金する入金金額を入力し、レジ１から回収された１９日分の売上金を入出金機４に投入して「決定」を操作すると、入出金機４は、投入された貨幣の識別判定処理、集計処理、誤差量検出処理を実行する。【００８７】
これらの各処理の結果、入力された入金金額と集計金額とに誤差が生じていなかった場合、入出金機４は、図４（ｄ）に示すように、入金金額と集計金額とを表示する。なお、誤差が生じていた場合については後述する。その後、出納員が画面上の「確認」を操作すると、入出金機４は、今回の集計結果をレジ１に関する処理履歴テーブルに記憶させる。【００８８】
一方、レジ１に関して、売上金の集計を行うべき日であって、集計が行われなかった未処理日が複数存在していた場合、たとえば、出納員が１７日土曜及び１８日日曜に出勤しておらず、１９日月曜に出勤して、１７日〜１９日分の売上金を各営業日毎にまとめて集計しなければならない場合、入出金機４は、図４（ｅ）に示すように、１７日〜１９日の中から、集計処理を行う処理日を出納員に選択させる案内画像を表示操作部８に表示させる。【００８９】
このように、本実施形態の入出金機４では、複数の未処理日が存在する場合に、一つの画面上に、集計処理が未だ実行されていない複数の未処理日に関する未処理日情報を表示するため、出納員は、レジ１、２、３から発行されたレシートを確認することなく、容易に複数の未処理日が存在することを確認することができるので、出納員の作業負荷を低減することができる。【００９０】
そして、図４（ｅ）に示す画面上で、出納員が「１７日土曜分」の部分に触れると、入出金機４は、図４（ｆ）に示すように、１７日土曜分の入金案内画像を表示操作部８に表示させる。このとき、入出金機４は、画面上から「１７日土曜分」の文字を削除した案内画像を表示させる。【００９１】
この図４（ｆ）に示す画面上で、出納員がテンキー部分を操作して、これから入金する入金金額を入力し、レジ１から回収された１７日分の売上金を入出金機４に投入して「決定」を操作すると、入出金機４は、投入された貨幣の識別判定処理、集計処理、誤差量検出処理を実行する。【００９２】
これらの各処理の結果、入力された入金金額と集計金額とに誤差が生じていなかった場合、入出金機４は、図４（ｄ）に示した画面と同様に、入金金額と集計金額とを表示する。そして、出納員が画面上の「確認」を操作すると、入出金機４は、今回の集計結果をレジ１に関する処理履歴テーブルに記憶させる。こうして未処理日である１７日土曜分の売上金の集計処理が終了する。【００９３】
その後、入出金機４は、図４（ｇ）に示すように、未だ集計処理が実行されていない日付に関する情報（「１８日日曜分」、「１９日月曜分」）と、これら１８日と１９日との中から、出納員に集計処理を行う未処理日を選択させる「処理日を選択してください。」という文字とが表示された案内画像を表示操作部８に表示させる。【００９４】
そして、この入出金機４では、出納員が図４（ｇ）に示す案内画像上で１８日又は１９日のいずれかの未処理日を選択した場合、その後、継続して選択した未処理日分の売上金に関する集計処理を実行するように構成している。【００９５】
このように、本実施形態の入出金機４では、表示操作部８に表示している複数日の未処理日から、利用者である出納員が所望する未処理日を選択操作するだけで、わざわざ入出金機４の処理日設定等を変更することなく、その未処理日に関する売上金の集計処理を実行することができるので、複数日分の売上金を後日各売上日毎にまとめて集計処理させる場合、その作業の煩雑さを低減することができる。【００９６】
また、本実施形態の入出金機４では、誤差量検出処理の結果、入力された入金金額と集計金額とに誤差が生じていた場合、図４（ｈ）に示すように、入金金額と集計金額とに加え、誤差量検出処理部２４により検出した誤差金額を表示する。そして、出納員が画面上の「確認」を操作すると、入出金機４は、今回の集計結果をレジ１に関する処理履歴テーブルに記憶させる。【００９７】
このとき、入出金機４では、誤差量検出処理部２４により検出した誤差金額が所定の誤差量を超えていた場合、レジ１に関する処理履歴テーブルの累積回数を１加算し、その累積回数が規定回数の３回に達していた場合には、図４（ｉ）に示すように、警告表示としてレジ１の識別情報（Ｎｏ．０１）と、レジ１の担当者ＩＤ（０１０１）を表示させる。【００９８】
なお、本実施形態では、誤差量検出処理部２４により検出した誤差金額が所定の誤差量を超えていた場合、図４（ｉ）に示すように、警告表示としてレジ１の識別情報（Ｎｏ．０１）と、レジ１の担当者ＩＤ（０１０１）を表示出力させているが、この警告の出力方法は表示に限定するものではない。【００９９】
他の出力方法としては、たとえば、入出金機４に図４（ｉ）に示す警告表示を印字可能なプリンタを設け、このプリンタにより警告表示を印字出力させてもよい。また、入出金機４に携帯端末や他の端末へ有線または無線通信により情報を送信可能な通信部を設け、この通信部により携帯端末や他の端末へ向けて、検出した誤差金額が所定の誤差量を超えていたレジの識別情報と、そのレジの担当者ＩＤとを外部出力させてもよい。かかる構成とする場合、検出された誤差金額の誤差量とは無関係に、処理履歴テーブル内の情報を携帯端末や他の端末へ向けて外部出力することもできる。【０１００】
このように、本実施形態の入出金機４では、入力された入金金額と集計金額との誤差が所定の閾値以下であった場合に入金を可能とし、入力された入金金額と集計金額との誤差が所定の閾値を超える事態が頻繁に発生する場合に、そのレジの識別情報と、そのレジのレジ員を特定可能な担当者ＩＤとを警告表示するため、出納員は、特定のレジ員による特定レジの誤差発生状況や不正行為等を容易に発見することができる。【０１０１】
次に、上記のように出納員が売上金の集計作業を行う際に、入出金機４で実行される処理について、図５及び図６を参照して説明する。図５及び図６は、入出金機４で実行される処理を示すフローチャートである。【０１０２】
本実施形態に係る入出金機４は、電源が投入されている間、図５に示すフローチャートに従って各種処理を繰り返し実行する。この入出金機４では、電源が投入されると、図５に示すように、まず、主制御部２１が表示制御部２２を動作制御して、表示操作部８に待受表示（図４（ａ）参照。）を行わせる（ステップＳ１０１）。【０１０３】
次に、主制御部２１は、表示操作部８が操作されたか否かの判断を行い（ステップＳ１０２）、操作されたと判断した場合（ステップＳ１０２：Ｙｅｓ）、処理をステップＳ１０３へ移し、操作されていないと判断した場合（ステップＳ１０２：Ｎｏ）、このステップＳ１０２の判断を繰り返し実行する。このステップＳ１０２において主制御部２１は、表示操作部８から所定の操作信号を受信した場合に、表示操作部８が操作されたと判断する。【０１０４】
そして、主制御部２１は、表示操作部８から入力された操作信号から、ステップＳ１０２で検出した操作が入金操作であったか否かを判断し（ステップＳ１０３）、入金操作であったと判断した場合（ステップＳ１０３：Ｙｅｓ）、処理をステップＳ１０４へ移して、レジ１、２、３から回収した貨幣を内部に取込んで、その数量を集計する入金処理を実行し、その後、処理を終了する。この入金処理については、後に図６を参照して具体的に説明する。【０１０５】
一方、主制御部２１は、ステップＳ１０２で検出した操作が入金操作でなかったと判断した場合（ステップＳ１０３：Ｎｏ）、その操作が出金操作であったか否かの判断を行う（ステップＳ１０５）。【０１０６】
そして、主制御部２１は、ステップＳ１０２で検出した操作が出金操作であったと判断した場合（ステップＳ１０５：Ｙｅｓ）、その操作に応じた数量及び種別の貨幣を外部へ払い出す出金処理を実行して（ステップＳ１０６）、その後、処理を終了する。この出金処理については、後に詳述する。一方、主制御部２１は、ステップＳ１０２で検出した操作が出金操作でなかったと判断した場合（ステップＳ１０５：Ｎｏ）、その操作が処理履歴表示操作であったか否かの判断を行う（ステップＳ１０７）。【０１０７】
そして、主制御部２１は、ステップＳ１０２で検出した操作が処理履歴表示操作であったと判断した場合（ステップＳ１０７：Ｙｅｓ）、表示制御部２２を動作制御して、表示操作部８に処理履歴表示を行わせる（ステップＳ１０８）。ここで、主制御部２１は、カードリーダ部９から所定のＩＤカードに関する情報を受信し、且つ、表示操作部８から入力された操作信号が処理履歴表示操作を示す信号であった場合に、ステップＳ１０２で検出した操作が処理履歴表示操作であったと判断する。そして、このとき表示制御部２２は、全てのレジ１、２、３に関する処理履歴テーブル内の情報を表示操作部８に表示させる。【０１０８】
一方、主制御部２１は、ステップＳ１０２で検出した操作が処理履歴表示操作でなかったと判断した場合（ステップＳ１０７：Ｎｏ）、ステップＳ１０２で検出したその他の操作に応じたその他の処理を実行し（ステップＳ１０９）、その後、処理を終了する。ここで実行されるその他の処理は、たとえば、入出金機４の初期設定のための処理等である。【０１０９】
次に、ステップＳ１０４で実行される入金処理について、図６を参照して具体的に説明する。この入金処理が開始されると、図６に示すように、主制御部２１は、表示制御部２２を動作制御して、表示操作部８にレジ１、２、３の中から特定のレジの識別情報（以下、「レジ番号」という。）を入力させるレジ番号入力表示（図４（ｂ）参照。）を行わせる（ステップＳ２０１）。【０１１０】
その後、主制御部２１は、レジ番号が入力されたか否かの判断を行い（ステップＳ２０２）、レジ番号が入力されていないと判断した場合（ステップＳ２０２：Ｎｏ）、入力されるまでステップＳ２０２の判断を繰り返し行い、レジ番号が入力されたと判断した場合（ステップＳ２０２：Ｙｅｓ）、処理をステップＳ２０３へ移す。【０１１１】
このとき、出納員は、表示操作部８に表示されるテンキー部分を操作することによって、レジ番号を入力する。すなわち、本実施形態では、表示操作部８がレジの識別情報を入力する識別情報入力手段として機能する。なお、レジ番号の入力はレジ用カード、バーコード、電子媒体等でも入力ができる。【０１１２】
ステップＳ２０３において、主制御部２１は、ステップＳ２０２で入力されたレジ番号に対応するレジに関する処理履歴テーブルを参照して、そのレジに関して当日以外で売上金の集計処理が実行されていない日（未入金日）があるか否かを判断し、当日以外に未入金日があると判断した場合（ステップＳ２０３：Ｙｅｓ）、処理をステップＳ２０４へ移し、当日以外に未入金日がないと判断した場合（ステップＳ２０３：Ｎｏ）、処理をステップＳ２０７へ移す。【０１１３】
ステップＳ２０７で主制御部２１は、表示制御部２２を動作制御して、当日の入金金額の入力を促す入金金額入力表示（図４（ｃ）参照。）を表示操作部８に表示させ、その後、処理をステップＳ２０８へ移す。【０１１４】
また、ステップＳ２０４で制御部２１は、表示制御部２２を動作制御して、未入金日を選択させる未入金日選択表示（図４（ｅ）参照。）を表示操作部８に表示させ、その後、処理をステップＳ２０５へ移す。ここで、表示制御部２２は、未入金日が複数日あった場合、それら全ての未入金日を表示操作部８に表示させると共に、これら複数の未入金日から売上金の集計処理を行う処理日の選択を促す文字を表示させる。【０１１５】
このように、本実施形態では、表示制御部２２が有価媒体処理手段により有価媒体が処理されなかった未処理日に関する情報を所定の表示手段に表示制御する表示制御手段として機能する。【０１１６】
その後、ステップＳ２０５で主制御部２１は、処理日が選択されたか否かの判断を行い、処理日が選択されなかったと判断した場合（ステップＳ２０５：Ｎｏ）、処理日が選択されるまでこのステップＳ２０５の判断を繰り返し行い、処理日が選択されたと判断した場合（ステップＳ２０５：Ｙｅｓ）、処理をステップＳ２０６へ移す。【０１１７】
このとき、出納員は、表示操作部８に表示されている未入金日表示の画面を操作して、所望する特定の処理日を選択する。このように、本実施形態では、表示操作部８が表示手段に表示された未処理日に関する情報から特定の未処理日を選択する処理日選択手段として機能する。【０１１８】
ステップＳ２０６で主制御部２１は、ステップＳ２０５で選択された処理日に関する入金金額の入力を促す入金金額入力表示（図４（ｆ）参照。）を表示制御部８に表示させ、その後、処理をステップＳ２０８へ移す。【０１１９】
そして、ステップＳ２０８において、主制御部２１は、入金金額の入力があったか否かの判断を行い、入金金額の入力がないと判断した場合（ステップＳ２０８：Ｎｏ）、入力があるまでステップＳ２０８の判断を繰り返し行い、入力があったと判断した場合（ステップＳ２０８：Ｙｅｓ）、処理をステップＳ２０９へ移す。【０１２０】
このとき、出納員は、表示操作部８に表示されている入金金額入力表示中のテンキー部分を操作して、これから入出金機４に投入する売上金が回収されたレジ１、２、３から発行されたレシートに記載の売上金額またはレジ１、２、３からの回収金額を入力する。このように、本実施形態では、表示操作部８が有価媒体処理手段に集計処理させる有価媒体の数量を入力する数量入力手段として機能する。なお、ここでは、表示操作部８により売上金額を入力するように構成しているが、金額に換えてレジ１、２、３から回収した貨幣の金種別の枚数を入力するように構成してもよい。【０１２１】
その後、当該入出金機４に貨幣が投入されると、主制御部２１は、投入された貨幣の集計処理を行う（ステップＳ２０９）。このステップＳ２０９において、主制御部２１は、識別判定処理部２６を動作制御して、投入された貨幣の識別判定処理を行わせ、集計処理部２３を動作制御して、識別判定後の貨幣を集計処理させ、誤差量検出処理部２４を動作制御して、表示操作部８の操作により入力された入金金額と、集計処理の結果得られた集計金額との誤差金額を検出させ、その後、処理をステップＳ２１０へ移す。【０１２２】
このように、本実施形態では、誤差量検出処理部２４が、数量入力手段により入力された有価媒体の数量と、処理日選択手段により特定の未処理日が選択されてから有価媒体処理手段により集計された有価媒体の集計結果との誤差量を検出する誤差検出手段として機能する。【０１２３】
そして、ステップＳ２１０において、主制御部２１は、ステップＳ２０９で検出された誤差金額が発生したか否かの判断を行い、誤差金額が発生したと判断した場合（ステップＳ２１０：Ｙｅｓ）、処理履歴テーブルの累積回数に１を加算する処理を行った後、処理をステップＳ２１１へ移し、誤差金額が発生していないと判断した場合（ステップＳ２１０：Ｎｏ）、処理をステップＳ２１２へ移す。なお、ここでは、誤差金額が発生した場合に、処理履歴テーブルの累積回数を１加算する処理を行っているが、この処理に代えて、誤差金額が所定の誤差金額を超えた場合に、処理履歴テーブルの累積回数を１加算する処理を行うように、処理を変更してもよい。【０１２４】
ステップＳ２１１において、主制御部２１は、表示制御部２２を動作制御して、集計結果・誤差金額表示を表示操作部８に表示させる。このとき、表示制御部２２は、表示操作部８の操作により入力された入金金額と、集計処理の結果得られた集計金額とを表示操作部８に表示させると共に、入金金額と集計金額との誤差金額についても、表示操作部８に表示させ、その後、処理をステップＳ２１３へ移す。【０１２５】
また、ステップＳ２１２において、主制御部２１は、表示制御部２２を動作制御して、集計結果表示を表示操作部８に表示させる。このとき、表示制御部２２は、表示操作部８の操作により入力された入金金額と、集計処理の結果得られた集計金額とを表示操作部８に表示させ、その後、処理をステップＳ２１３へ移す。【０１２６】
そして、ステップＳ２１３において、主制御部２１は、ステップＳ２０２で入力されたレジ番号に対応する処理履歴テーブルを参照して、所定誤差検出回数（所定の閾値を超える誤差金額が検出された累積回数）が規定回数（ここでは、３回）以上になったか否かを判断し、規定回数以上になったと判断した場合（ステップＳ２１３：Ｙｅｓ）、処理をステップＳ２１４へ移し、規定回数未満であると判断した場合（ステップＳ２１３：Ｎｏ）、処理をステップＳ２１５へ移す。【０１２７】
ステップＳ２１４において、主制御部２１は、ステップＳ２０２で入力されたレジ番号に対応する処理履歴テーブルを参照し、表示制御部２２を動作制御して、所定の閾値を超える誤差金額が検出された累積回数が規定回数に達したレジ１、２、３及びそのレジのレジ員に関する警告表示として、そのレジのレジ番号と担当者ＩＤとを表示するレジ番号・担当者ＩＤ表示（図４（ｉ）参照。）を表示操作部８に表示させ、その後、処理をステップＳ２１５へ移す。【０１２８】
ステップＳ２１５において、主制御部２１は、表示操作部８で確認操作がなされたか否かを判断し、確認操作がなされていないと判断した場合（ステップＳ２１５：Ｎｏ）、確認操作がなされるまでステップＳ２１５の判断を繰り返し行う。【０１２９】
そして、主制御部２１は、表示操作部８で確認操作がなされたと判断した場合（ステップＳ２１５：Ｙｅｓ）、ステップＳ２０９で実行した集計処理の集計結果を処理履歴テーブルに記憶させ、その後、表示操作部８に表示されている未入金日表示から、ステップＳ２０５で選択された処理日を削除する処理を行って（ステップＳ２１６）、処理を終了する。【０１３０】
このとき、主制御部２１は、ステップＳ２０３の判断で未入金日がないと判断されていた場合、当日の日付と、ステップＳ２０９で実行した集計処理の集計結果とを対応付けて、集計処理した貨幣が回収されたレジ１、２、３に関する処理履歴テーブルに記憶させる。【０１３１】
ステップＳ２０３の判断で未入金日があると判断されていた場合、主制御部２１は、ステップＳ２０５で選択された処理日（未処理日）の日付と、ステップＳ２０９で実行した集計処理の集計結果とを対応付けて、集計処理した貨幣が回収されたレジ１、２、３に関する処理履歴テーブルに記憶させる。【０１３２】
さらに、このとき主制御部２１は、ステップＳ２１０の判断で誤差金額があったと判断されていた場合、その誤差金額と処理日（当日又はステップＳ２０５で選択された処理日）とを対応付けて、集計処理した貨幣が回収されたレジ１、２、３に関する処理履歴テーブルに記憶させる。【０１３３】
このように、本実施形態の入出金機４では、売上金の集計処理ができなかった日が複数日あった場合に、入出金機４の表示操作部８に、集計処理ができなかった複数の日付を表示させ、出納員等の利用者がその複数の日付の中から所望の日付を選択することによって、その日付に対応した売上金の集計処理を入出金機４に実行させるように構成している。【０１３４】
これにより、出納員等の入出金機４の利用者は、入出金機４の表示操作部８による表示を確認するだけで、売上金が集計処理されなった日付を容易に確認することができ、その画面上で所望の日付を選択するだけで、容易にその日付に対応する売上金の集計を行うことができるので、複数日分の売上金を後日各売上日毎にまとめて入出金機４に集計処理させる場合に、その作業の煩雑さが低減される。【０１３５】
また、図６に示した入金処理では、１回の入金処理が終了する度に一旦入金処理を終了させているが、複数の未処理日があったときに、それら全ての未処理日に関する集計処理が終了してから入金処理を終了させるように構成してもよい。【０１３６】
このように構成する場合には、図６のステップＳ２１５において、確認操作が有ったと判断された場合に（ステップＳ２１５：Ｙｅｓ）、処理をステップＳ２０３へ戻すように処理手順を変更し、さらに、ステップＳ２０３において、未処理日がないと判断された場合に（ステップＳ２０３：Ｎｏ）入金処理を終了するように処理手順を変更する。【０１３７】
このように入金処理の処理手順を変更することによって、複数の未処理日があったときに、全ての未処理日に関する売上金の集計処理を継続して行うことができるので、入出金機４の利用者の作業負荷をより一層低減することができる。【０１３８】
次に、本実施形態の入出金機４が実行する出金処理について、図７及び図８を参照して説明する。ここでは、まず、入出金機４により出納員が貨幣の出金（払出し）を行う際の作業の一連の流れについて、図７（ａ）〜（ｇ）を参照して説明し、その後に、図５に示すステップＳ１０５で実行される出金処理について、図８を参照して具体的に説明する。【０１３９】
図７（ａ）〜（ｇ）は、出納員が出金作業を行う際に、表示操作部８に表示される画像の一例を示す説明図である。図８は、本実施形態に係る入出金機４で実行される処理を示すフローチャートである。【０１４０】
図７（ａ）に示すように、表示操作部８に「入金」と「出金」と「処理履歴」という文字が表示されている待機状態において、出納員が出金作業を行うために画面上の「出金」の部分に触れると、入出金機４は、図７（ｂ）に示すように、「レジ番号を入力してください。」というレジ１、２、３の識別情報の入力を促すレジ番号入力表示を表示操作部８に表示させる。【０１４１】
ここで、出納員が画面上のテンキーの部分を操作して、レジ１の識別情報であるレジ番号「０１」を入力し、「決定」を操作したとする。このとき、入出金機４は、予め設定された払出上限の範囲内で、当該入出金機４が貨幣を払出し可能な当日以降の未処理日に関する情報を示す出金可能日表示を表示操作部８に表示させる。【０１４２】
本実施形態では、払出上限として、一台のレジスタに関して、当日を含めて三日先までの分の釣銭準備金を払出可能とする設定を行うようにしている。なお、払出上限に関する日数はこれに限定するものではなく、任意の日数を設定してもよい。また、払出上限として日数ではなく、払出す貨幣の総額や金種毎の枚数を予め設定しておいてもよい。【０１４３】
ここでは、図７（ｃ）に示すように、当日である「１９日月曜分」、明日である「２０日火曜分」、明後日である「２１日水曜分」の三日の中から、いずれか一日分の釣銭準備金の払出しを利用者である出納員に選択させる出金可能日表示を表示操作部８に表示させる。【０１４４】
また、本実施形態の入出金機４では、出納員によるレジ番号（ここでは、レジＮｏ．０１）を受付けると、そのレジ番号に対応する処理履歴テーブル（図３参照。）を参照して、警告フラグとして「１」が記憶されているか否かを判定し、「１」が記憶されていた場合、図７（ｇ）に示すように、「出金処理が禁止されています！」という出金禁止表示を表示操作部８に表示させる。なお、警告フラグとして「０」が記憶されていた場合には、前述のように図７（ｃ）に示す出金可能日表示を表示操作部８に表示させる。【０１４５】
その後、出納員が出金可能日表示における「１９日月曜分」の部分に触れると、入出金機４は、図７（ｄ）に示すように、この入出金機４から払出す貨幣の種類及び数量の組み合わせパターンを出納員に選択させる出金パターン選択表示を表示操作部８に表示させる。【０１４６】
本実施形態では、「平日Ａパターン」と「平日Ｂパターン」という二つの出金パターンを出納員に選択させる出金パターン選択表示を表示操作部８に表示する。ここで出納員が「平日Ａパターン」の部分に触れると、入出金機４は、５千円札を１０枚、千円札を２０枚払出す払出し処理を行う。一方、出納員が「平日Ｂパターン」の部分に触れると、入出金機４は、５千円札を２０枚、千円札を５０枚払出す払出し処理を行う。このように、本実施形態では、表示操作部８が有価媒体処理手段に払出させる有価媒体の種類及び数量の組み合わせパターンを選択する払出しパターン選択手段として機能する。なお出金パターンとして、平日と休日とで異なる出金パターンを設けてもよい。【０１４７】
そして、入出金機４は、出金処理が終了すると、図７（ｅ）に示すように、レジＮｏ．０１のレジ１についての出金作業を継続するか否かを選択させる案内画像を表示操作部８に表示させる。【０１４８】
ここで、出納員が図７（ｅ）に示す案内画像中の「継続」の部分に触れると、入出金機４は、図７（ｆ）に示すように、出金可能日表示を表示操作部８に表示させる。その後、入出金機４は、全ての出金可能日についての出金処理が終了するか、若しくは出納員によって終了操作がなされるまで、出金パターン選択表示と、出金処理と、出金可能日表示とを繰り返し行う。なお、既に出金処理が行われている日付や予め出金が禁止されている日付については、表示操作部８に表示させないか、若しくは、表示させたとしても、その日付の選択操作を無効とする。【０１４９】
このように、本実施形態の入出金機４では、出納員が出金作業を行う際に、当日を含めて複数日先の日付分の釣銭準備金を出金させることができるので、複数日分の出金作業を行う際に、その作業の煩雑さを低減することができる。【０１５０】
しかも、この入出金機４では、予め設定された払出上限の範囲内で、当該入出金機４により貨幣を払出し可能な当日以降の未処理日に関する情報を表示操作部８に表示させるので、無制限に先の日付分の払出処理が行われることを防止することができる。【０１５１】
さらに、この入出金機４では、払出す貨幣の種類及び数量の組み合わせパターンを予め設定しておき、複数の出金パターンから出納員が所望する出金パターンを選択させることができるため、出金金額や貨幣の枚数等をいちいち入力することなく、予想される来店者数に応じて適した種類及び数量の貨幣を払出すことができる。また、この際、有価媒体処理装置である入出金機４内の枚数がパターン出金として設定された紙幣枚数に満たない場合、該当するパターンを表示画面に出さない、または該当ボタンを有効にしないことも可能である。【０１５２】
また、この入出金機４では、出金処理を行うに際し、処理履歴テーブルを参照して警告フラグが立っているか否かを判定し、警告フラグが立っていない場合、すなわち、警告フラグとして「０」が記憶されている場合に限り、出金処理を実行し、警告フラグが立っていた場合、すなわち、警告フラグとして「１」が記憶されていた場合には、出金処理の実行を禁止するように構成しているため、集計結果における誤差量が所定の閾値を越えたレジスタ又はレジ員への貨幣の払出しをできなくすることができる。【０１５３】
なお、本実施形態では、処理履歴テーブルに記憶されている警告フラグに基づいて、出金処理の実行及び実行禁止を判定しているが、処理履歴テーブルを参照して、過去に実行された集計処理において発生した入金金額と集計金額との誤差量が所定の閾値以下であった場合に出金処理を実行可能とし、誤差量が所定の閾値を超えていた場合に出金処理を実行不可能とするように構成することもできる。【０１５４】
次に、図５のステップＳ１０６で実行される出金処理について、図８を参照して具体的に説明する。この出金処理が開始されると、図８に示すように、主制御部２１は、表示制御部２２を動作制御して、表示操作部８にレジ１、２、３の中から特定のレジのレジ番号を入力させるレジ番号入力表示（図７（ｂ）参照。）を行わせる（ステップＳ３０１）。【０１５５】
続いて、主制御部２１は、レジ番号が入力されたか否かの判断を行い（ステップＳ３０２）、レジ番号が入力されていないと判断した場合（ステップＳ３０２：Ｎｏ）、入力されるまでステップＳ３０２の判断を繰り返し行い、レジ番号が入力されたと判断した場合（ステップＳ３０２：Ｙｅｓ）、処理をステップＳ３０３へ移す。【０１５６】
ステップＳ３０３において、主制御部２１は、ステップＳ２０２で入力されたレジ番号に対応するレジに関する処理履歴テーブルを参照して、警告フラグとして「１」が記憶されているか否かの判定を行い、「１」が記憶されていた場合（ステップＳ３０３：Ｙｅｓ）、表示操作部８に出金禁止表示（図７（ｇ）参照。）を表示させ、その後、処理をステップＳ３１０へ移す。【０１５７】
一方、主制御部２１は、警告フラグとして「０」が記憶されていた場合（ステップＳ３０３：Ｎｏ）、表示操作部８に出金可能日表示（図７（ｃ）参照。）を表示させ（ステップＳ３０４）、その後、処理をステップＳ３０５へ移す。すなわち、主制御部２１は、画面中の「出金」部分が操作されて出金要求を受付けると、処理履歴テーブル内の警告フラグを参照して出金可能状態であるか否かを判定する。【０１５８】
ステップＳ３０５において、主制御部２１は、出金可能日表示から出金日が選択されたか否かを判定し、出金日が選択されていない場合（ステップＳ３０５：Ｎｏ）、出金日が選択されるまで、このステップＳ３０５の処理を繰り返し実行する。【０１５９】
一方、主制御部２１は、出金日が選択された場合（ステップＳ３０５：Ｎｏ）、表示操作部８に出金パターン選択表示（図７（ｄ）参照。）を表示させ（ステップＳ３０６）、その後、処理をステップＳ３０７へ移す。【０１６０】
ステップＳ３０７において、主制御部２１は、出金パターンが選択されたか否かの判定を行い、出金パターンが選択されていない場合（ステップＳ３０７：Ｎｏ）、出金パターンが選択されるまで、このステップＳ２０７の処理を繰り返し実行する。【０１６１】
一方、主制御部２１は、出金パターンが選択された場合（ステップＳ３０７：Ｙｅｓ）、選択された出金パターンに従って、所定種類の貨幣を所定の枚数払出す払出し処理を行い（ステップＳ３０８）、その後、ステップＳ３０５で選択された出金日（選択処理日）を表示画面から削除して（ステップＳ３０９）、出金処理を継続するか終了するかを選択させる案内画像（図７（ｅ）参照。）を表示操作部８に表示させる。【０１６２】
そして、主制御部２１は、出金処理を継続させる継続操作がなされたか否かの判定を行い（ステップＳ３１０）、継続操作がなされた場合（ステップＳ３１０：Ｙｅｓ）、処理をステップＳ３０４へ移す。【０１６３】
一方、主制御部２１は、継続操作がなされなかった場合（ステップＳ３１０：Ｎｏ）、出金処理を終了させる終了操作がなされたか否かの判定を行い（ステップＳ３１１）、終了操作がなされなかった場合（ステップＳ３１１：Ｎｏ）処理をステップＳ３１０へ移し、終了操作がなされた場合（ステップＳ３１１：Ｙｅｓ）、処理を終了する。【０１６４】
さて、これまで本発明の一実施形態について説明したが、本発明は上述した実施形態以外にも、上記特許請求の範囲に記載した技術的思想の範囲内において種々の異なる実施形態にて実施されてもよいものである。【０１６５】
たとえば、上記実施形態で説明した入出金機４は、入金機能と出金機能との両機能を備えているが、入金機能と出金機能とのうちいずれか一方のみの機能を備えた入出金としてもよい。【０１６６】
また、上記実施形態で説明した入出金機４は、金種別収納部２９を備えているが、上記入出金機４の構成から有価媒体を収納する収納部を省くこともできる。収納部を省いた入出金機によれば、外部から投入した有価媒体を集計処理後に外部へ払出すことができ、有価媒体を内部に収納せずに集計処理結果の管理を行うことができる。【０１６７】
また、本実施例において説明した各処理のうち、自動的におこなわれるものとして説明した処理の全部または一部を手動的に行うこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。【０１６８】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【図１】
2010089895.tif 000003
【図２】
2010089895.tif 000004
【図３】
2010089895.tif 000005
【図４】
2010089895.tif 000006
【図５】
2010089895.tif 000007
【図６】
2010089895.tif 000008
【図７】
2010089895.tif 000009
【図８】
2010089895.tif 000010
【手続補正書】
【提出日】平成23年8月2日(2011.8.2)
【手続補正１】
【補正対象書類名】特許請求の範囲
【補正対象項目名】全文
【補正方法】変更
【補正の内容】
【特許請求の範囲】
【請求項１】
有価媒体を処理する有価媒体処理手段と、
有価媒体の処理に関する情報を記憶する記憶手段と、
有価媒体の処理に関する情報を表示する表示手段と、
有価媒体の処理に関する情報を入力する入力手段と、
前記有価媒体処理手段による有価媒体の未処理日に関する情報を前記表示手段に表示させる表示制御手段と、
前記表示手段に表示された特定の未処理日が前記入力手段により入力された場合に、前記有価媒体処理手段に前記未処理日の処理として有価媒体を処理させる制御手段と
を有することを特徴とする有価媒体処理装置。 
【請求項２】
前記制御手段は、前記入力された未処理日と前記有価媒体処理手段により処理された有価媒体の処理結果とを関連付けて前記記憶手段に記憶させることを特徴とする請求項１に記載の有価媒体処理装置。 
【請求項３】
前記有価媒体処理手段は、キャッシュレジスタから回収した有価媒体の数量および種類を集計処理することを特徴とする請求項１に記載の有価媒体処理装置。 
【請求項４】
前記有価媒体処理手段は、キャッシュレジスタから回収された有価媒体の総額または総価値を集計処理することを特徴とする請求項１に記載の有価媒体処理装置。 
【請求項５】
有価媒体の数量および種類を受付ける数量受付手段と、
キャッシュレジスタに関する情報を受付ける情報受付手段と、
前記有価媒体処理手段による集計結果と前記数量受付手段により受付けた有価媒体の数量および種類とを比較することにより誤差を検出する誤差検出手段とを備え、
前記制御手段は、前記誤差検出手段が誤差を検出した場合、前記誤差に関する情報と前記誤差が検出されたキャッシュレジスタに関する情報とを前記記憶手段に記憶させることを特徴とする請求項１に記載の有価媒体処理装置。 
【請求項６】
有価媒体の総額または総価値を受付ける価値受付手段と、
キャッシュレジスタに関する情報を受付ける情報受付手段と、
前記有価媒体処理手段による集計結果と前記価値受付手段により受付けた有価媒体の総額または総価値とを比較することにより誤差を検出する誤差検出手段とを備え、
前記制御手段は、前記誤差検出手段が誤差を検出した場合、前記誤差に関する情報と前記誤差が検出されたキャッシュレジスタに関する情報とを前記記憶手段に記憶させることを特徴とする請求項１に記載の有価媒体処理装置。 
【請求項７】
前記表示制御手段は、前記記憶手段に記憶された前記誤差に関する情報と前記誤差が検出されたキャッシュレジスタに関する情報とを前記表示手段に表示させることを特徴とする請求項５又は請求項６に記載の有価媒体処理装置。 
【請求項８】
前記表示制御手段は、前記記憶手段に記憶された所定の閾値を超えた誤差を含む情報と前記誤差が検出されたキャッシュレジスタに関する情報とを前記表示手段に表示させることを特徴とする請求項５又は請求項６に記載の有価媒体処理装置。 
【請求項９】
前記有価媒体処理手段は、
入金された有価媒体を識別する識別手段と、
前記識別手段により識別された有価媒体を収納する収納手段と
を有することを特徴とする請求項１に記載の有価媒体処理装置。 
【請求項１０】
有価媒体の出金を前記制御手段に要求する出金要求手段を備え、
前記制御手段は、前記入力された未処理日と前記出金要求とを受付け、有価媒体が出金可能な状態であると判定した場合に、前記有価媒体処理手段により前記有価媒体の出金を行うことを特徴とする請求項１に記載の有価媒体処理装置。 
【請求項１１】
前記制御手段は、前記表示手段に表示された未処理日に関する情報から特定の未処理日が前記入力手段により選択された場合に、前記有価媒体処理手段に前記未処理日の処理として有価媒体を処理させることを特徴とする請求項１又は請求項１０に記載の有価媒体処理装置。 
【請求項１２】
前記制御手段は、前記記憶手段に記憶された誤差に関する情報が所定の閾値以下の場合、前記有価媒体処理手段により有価媒体の出金を行うことを特徴とする請求項５又は請求項６に記載の有価媒体処理装置。 
【請求項１３】
前記キャッシュレジスタに関する情報は、キャッシュレジスタの識別情報と操作者情報とを含むことを特徴とする請求項５又は請求項６に記載の有価媒体処理装置。 
【請求項１４】
有価媒体の処理に関する情報を記憶する記憶ステップと、
前記記憶ステップで記憶した有価媒体の未処理日に関する情報を所定の表示手段に表示させる表示ステップと、
前記表示手段に表示された特定の未処理日が有価媒体の処理に関する情報を入力する入力手段により入力された場合に、前記未処理日の処理として有価媒体を処理する有価媒体処理ステップとを有することを特徴とする有価媒体処理方法。 
【手続補正２】
【補正対象書類名】明細書
【補正対象項目名】００４９
【補正方法】変更
【補正の内容】
【００４９】
また、入出金機４の筐体の上部奥側には、入出金機４の操作手順や処理結果等の各種案内画像を表示すると共に、出納員が画面上の所定位置に触れることによって、売上金に関する各種処理を実行させるタッチパネル型の表示操作部８を備えている。さらに、表示操作部８の下方には、後に説明する特定の人物にのみ配布されたＩＤカードが挿入されると、そのＩＤカードから所定の情報を読取るカードリーダ部９を備えている。なお、図１中の符号１０は、入出金機４内に収納した貨幣の回収を行う際、及び入出金機４への貨幣の補充を行う際に開閉する扉であり、符号１１は、扉１０の施錠及び開錠を行う鍵孔である。
【手続補正３】
【補正対象書類名】明細書
【補正対象項目名】００５３
【補正方法】変更
【補正の内容】
【００５３】
主制御部２１は、ＣＰＵ（Central Processing Unit）とＲＯＭ（Read-Only Memory）とＲＡＭ（Random Access Memory）とを備えており、表示操作部８から入力される所定の操作信号に基づいて、ＣＰＵがＲＯＭに記憶している複数種類の各種情報処理プログラムを適宜読み出して実行することにより、表示制御部２２、集計処理部２３、誤差量検出処理部２４、識別判定処理部２６、搬送制御部２７、払出処理部３０の各動作を制御すると共に、処理履歴記憶部２５内の各種処理履歴情報の更新等を行って、入出金機４の動作を統括制御する。なおＲＡＭは、ＣＰＵがＲＯＭに記憶している各種情報処理プログラムを実行する際に、作業領域として使用される一時記憶領域として機能するものである。
【手続補正４】
【補正対象書類名】明細書
【補正対象項目名】００６２
【補正方法】変更
【補正の内容】
【００６２】
カードリーダ部９は、たとえば、店舗の管理者や監督者等の特定の権限が与えられた人物のみに配布されたＩＤカードが挿入されると、そのＩＤカードからそのＩＤカードの所有者を特定する情報を読取り、その情報を主制御部２１へ出力する。主制御部２１は、カードリーダ部９からこの情報を受信すると、表示制御部２２を動作制御して、表示操作部８に全ての処理履歴情報を表示させる。すなわち、本実施形態の入出金機４では、このＩＤカードを挿入することによって、処理履歴記憶部２５に記憶している全ての処理履歴情報を表示操作部８に表示させることができるように構成している。 
【手続補正５】
【補正対象書類名】明細書
【補正対象項目名】０１１４
【補正方法】変更
【補正の内容】
【０１１４】
また、ステップＳ２０４で主制御部２１は、表示制御部２２を動作制御して、未入金日を選択させる未入金日選択表示（図４（ｅ）参照。）を表示操作部８に表示させ、その後、処理をステップＳ２０５へ移す。ここで、表示制御部２２は、未入金日が複数日あった場合、それら全ての未入金日を表示操作部８に表示させると共に、これら複数の未入金日から売上金の集計処理を行う処理日の選択を促す文字を表示させる。 
【手続補正６】
【補正対象書類名】明細書
【補正対象項目名】０１１８
【補正方法】変更
【補正の内容】
【０１１８】
ステップＳ２０６で主制御部２１は、ステップＳ２０５で選択された処理日に関する入金金額の入力を促す入金金額入力表示（図４（ｆ）参照。）を表示制御部２２に表示させ、その後、処理をステップＳ２０８へ移す。 
【手続補正７】
【補正対象書類名】明細書
【補正対象項目名】０１３８
【補正方法】変更
【補正の内容】
【０１３８】
次に、本実施形態の入出金機４が実行する出金処理について、図７及び図８を参照して説明する。ここでは、まず、入出金機４により出納員が貨幣の出金（払出し）を行う際の作業の一連の流れについて、図７（ａ）〜（ｇ）を参照して説明し、その後に、図５に示すステップＳ１０６で実行される出金処理について、図８を参照して具体的に説明する。 
【手続補正８】
【補正対象書類名】明細書
【補正対象項目名】０１５１
【補正方法】変更
【補正の内容】
【０１５１】
さらに、この入出金機４では、払出す貨幣の種類及び数量の組み合わせパターンを予め設定しておき、複数の出金パターンから出納員が所望する出金パターンを選択させることができるため、出金金額や貨幣の枚数等をいちいち入力することなく、予想される来店者数に応じて適した種類及び数量の貨幣を払出すことができる。また、この際、有価媒体処理装置である入出金機４内の枚数が出金パターンとして設定された紙幣枚数に満たない場合、該当するパターンを表示画面に出さない、または該当ボタンを有効にしないことも可能である。
【手続補正９】
【補正対象書類名】明細書
【補正対象項目名】０１５６
【補正方法】変更
【補正の内容】
【０１５６】
ステップＳ３０３において、主制御部２１は、ステップＳ３０２ で入力されたレジ番号に対応するレジに関する処理履歴テーブルを参照して、警告フラグとして「１」が記憶されているか否かの判定を行い、「１」が記憶されていた場合（ステップＳ３０３：Ｙｅｓ）、表示操作部８に出金禁止表示（図７（ｇ）参照。）を表示させ、その後、処理をステップＳ３１１ へ移す。
【手続補正１０】
【補正対象書類名】明細書
【補正対象項目名】０１５９
【補正方法】変更
【補正の内容】
【０１５９】
一方、主制御部２１は、出金日が選択された場合（ステップＳ３０５：Ｙｅｓ ）、表示操作部８に出金パターン選択表示（図７（ｄ）参照。）を表示させ（ステップＳ３０６）、その後、処理をステップＳ３０７へ移す。
【手続補正１１】
【補正対象書類名】明細書
【補正対象項目名】０１６０
【補正方法】変更
【補正の内容】
【０１６０】
ステップＳ３０７において、主制御部２１は、出金パターンが選択されたか否かの判定を行い、出金パターンが選択されていない場合（ステップＳ３０７：Ｎｏ）、出金パターンが選択されるまで、このステップＳ３０７ の処理を繰り返し実行する。
【国際調査報告】
2010089895.tif 000011
2010089895.tif 000012
2010089895.tif 000013
2010089895.tif 000014